(57)【特許請求の範囲】
【請求項１】
巻取スプール本体の外周面に、筒状のスプールゴムを密着嵌合させるフィルム巻取スプールアッセンブリにおいて、
巻取スプール本体に予め、軸方向孔と、この軸方向孔に連通する少なくとも一つの径方向孔とを形成するステップと；
巻取スプール本体の上記径方向孔を塞ぐ位置迄、筒状スプールゴムを該巻取スプール本体に被せるステップと；
巻取スプール本体の上記軸方向孔を介して、径方向孔から空気を噴出させるステップと；
径方向孔から空気を噴出させながら、筒状スプールゴムを巻取スプール本体の外周所定位置にスライドさせるステップと；
を有することを特徴とするフィルム巻取スプールアッセンブリの組立方法。
【請求項２】
請求項１において、径方向孔は、巻取スプール本体の長さ方向の中心より偏心したいずれかの端部近傍に設けられているフィルム巻取スプールアッセンブリの組立方法。
【請求項３】
請求項１において、軸方向孔は、巻取スプール本体の長さ方向における一端側が閉塞され、他端側が開口されているフィルム巻取スプールアッセンブリの組立方法。
【請求項４】
請求項１の組立方法で組み立てたフィルム巻取スプールアッセンブリ。
【請求項５】
巻取スプール本体の外周面に、筒状のスプールゴムを密着嵌合させるフィルム巻取スプールアッセンブリにおいて、
上記巻取スプール本体が、空気噴出ノズルに接続可能な軸方向孔と、この軸方向孔に連通する少なくとも一つの径方向孔とを有することを特徴とするフィルム巻取スプールアッセンブリ。
【請求項６】
請求項５において、径方向孔は、巻取スプール本体の長さ方向の中心より偏心したいずれかの端部近傍に設けられているフィルム巻取スプールアッセンブリ。
【発明の詳細な説明】
【０００１】
【発明の技術分野】
本発明は、巻取スプール本体の外周面に筒状のスプールゴムを密着嵌合させたフィルム巻取スプールアッセンブリの組立方法、及びこの組立方法によるフィルム巻取スプールアッセンブリに関する。
【０００２】
【従来技術及びその問題点】
一般に、カメラは、カメラボディの内部中央にアパーチャを備え、このアパーチャの両側に、フィルムパトローネを装填するパトローネ室と、このパトローネからのフィルムを巻き取る巻取スプールを有するスプール室とを備えている。
【０００３】
ところで、この巻取スプールには、巻取時のフィルムの滑り止めのために、巻取スプール本体の外周面に、筒状のスプールゴムを密着嵌合させてフィルム巻取スプールアッセンブリとしたものがある。このようなアッセンブリを組立てる場合、従来は、筒状スプールゴムを予め折り返して丸めておき、これを巻取スプール本体の一端部に被せ、丸めた部分を他端部に向けて戻しながら該スプール本体の外周面に密着嵌合させる方法、或は、筒状スプールゴムの内周面を水で濡らして滑りを良くして巻取スプール本体外周面に密着嵌合させる方法等が採られていた。
【０００４】
このため、巻取スプール本体に筒状スプールゴムを密着嵌合させる組立作業は面倒なものとされ、しかもこの組立作業の前段階である準備作業に手間が掛かるため、全体の作業能率が悪かった。
【０００５】
【発明の目的】
本発明は、上記従来の問題点に基づき、巻取スプール本体に筒状スプールゴムを簡単に密着嵌合でき、フィルム巻取スプールアッセンブリの組立作業を簡単化できるフィルム巻取スプールアッセンブリの組立方法を提供すること、及びこの組立方法によるフィルム巻取スプールアッセンブリを提供することを目的としている。
【０００６】
【発明の概要】
上記目的を達成するための本発明は、巻取スプール本体の外周面に、筒状のスプールゴムを密着嵌合させるフィルム巻取スプールアッセンブリにおいて、巻取スプール本体に予め、軸方向孔と、この軸方向孔に連通する少なくとも一つの径方向孔とを形成するステップと；巻取スプール本体の上記径方向孔を塞ぐ位置迄、筒状スプールゴムを該巻取スプール本体に被せるステップと；巻取スプール本体の上記軸方向孔を介して、径方向孔から空気を噴出させるステップと；径方向孔から空気を噴出させながら、筒状スプールゴムを巻取スプール本体の外周所定位置にスライドさせるステップとを有することを特徴としている。
【０００７】
この組立方法によれば、筒状スプールゴムを巻取スプール本体の外周所定位置に容易にスライドさせることができるから、フィルム巻取スプールアッセンブリの組立作業を簡単化させることができる。また軸方向孔は、巻取スプール本体の長さ方向の中心より偏心したいずれかの端部近傍に設けることが好ましい。
【０００８】
さらに本発明は、巻取スプール本体の外周面に、筒状のスプールゴムを密着嵌合させるフィルム巻取スプールアッセンブリにおいて、上記巻取スプール本体が、空気噴出ノズルに接続可能な軸方向孔と、この軸方向孔に連通する少なくとも一つの径方向孔とを有することを特徴としている。
【０００９】
【発明の実施の形態】
以下図示実施形態に基づいて本発明を説明する。図１に示すように、本発明によるフィルム巻取スプールアッセンブリを有するカメラは、カメラボディ１１の内部中央にアパーチャ１２を備え、このアパーチャ１２の両側に、フィルムパトローネ（図示せず）を装填するパトローネ室１３と、このフィルムパトローネからのフィルムを巻き取る巻取スプール１５を有するスプール室１６とを備えている。同図において、１４はフィルム押えローラ、１７はファインダ接眼窓、１９はシャッタ釦を示し、また裏蓋は省略している。
【００１０】
上記スプール室１６内に回転自在に支持された巻取スプール１５は、フィルムを巻き取る際の滑り止めのため、巻取スプール本体１５ａの外周面１５ｊに、筒状のスプールゴム２０を密着嵌合させたフィルム巻取スプールアッセンブリとして構成されている（図２参照）。
【００１１】
巻取スプール本体１５ａは、図２に示すように、軸方向（同図上下方向）に長い略円筒状に構成され、外周面１５ｊの上下端部に、密着嵌合する筒状スプールゴム２０の上下端部を当接させてこの外周面１５ｊから脱落するのを規制する脱落防止段部１５ｃ、１５ｉを有している。巻取スプール本体１５ａは、上部に、外周面１５ｊより小径の回転軸部１５ｅを有し、下部外周に、駆動モータ（図示せず）からの回転を受ける巻取ギヤ１５ｂを有している。巻取スプール本体１５ａはさらに、回転軸部１５ｅの径方向中心から軸方向に（同図下方に向けて）延びる軸方向孔１５ｄと、該巻取スプール本体１５ａの径方向に向きかつ軸方向孔１５ｄに連通する一対の径方向孔１５ｇとを有している。
【００１２】
この一対の径方向孔１５ｇは、上下の脱落防止段部１５ｃ、１５ｉの間において、巻取スプール本体１５ａの長さ方向の中心より偏心した上端部近傍に設けられている。径方向孔１５ｇは、筒状スプールゴム２０を巻取スプール本体１５ａにセットするときこの筒状スプールゴム２０で容易に塞ぐことができる位置に設けられることが必要であり、噴出空気を空間ｓ内に均等に送るためにできるだけスプール本体１５ａの長さ方向の中心寄りに位置されることが好ましい。また径方向孔１５ｇの直径は、筒状スプールゴム２０を巻取スプール本体１５ａにセットするときにこのスプールゴム２０の摺接面に影響を及ぼさない程度の大きさに設定されるのが良い。例えば上下の脱落防止段部１５ｃ、１５ｉ間の長さ（外周面１５ｊの上下方向長さ）が３５ｍｍ程度で、この段部１５ｃの外周面１５ｊからの高さ（突出長）が０．４ｍｍ程度のとき、径方向孔１５ｇを、上脱落防止段部１５ｃから２〜３ｍｍ下がった位置に設けることができ、その場合この径方向孔１５ｇの直径を、０．５〜１．０ｍｍに設定することができる。
【００１３】
上記構成を有する巻取スプール１５は、次のように組み立てられる。すなわち、予め径方向孔１５ｇ、軸方向孔１５ｄを形成した巻取スプール本体１５ａに、この径方向孔１５ｇを塞ぐ位置迄筒状スプールゴム２０を被せ、この状態の巻取スプール本体１５ａを、その軸を下部挿入治具２２の凸部２２ａに合わせて載置し、上方に向いた回転軸部１５ｅに、空気噴出ノズルを構成する上部挿入治具２１の空気吹込孔２１ａを軸方向孔１５ｄに合わせた状態で密接させる。これら上部挿入治具２１と下部挿入治具２２は、巻取スプール本体１５ａの上下端部に当接する部分に、中心部を開口させたゴム材等の空気漏れ止め用パッキン２４を有している。
【００１４】
この状態において、図示しない空気ポンプを用いて空気吹込孔２１ａから軸方向孔１５ｄに空気を吹き込み、径方向孔１５ｇから空気を噴出させる。すると、この噴出空気が、外周面１５ｊと上脱落防止段部１５ｃと筒状スプールゴム２０内周面との間の空間ｓに流入して、この筒状スプールゴム２０の下部近傍を膨らませる。このため、外周面１５ｊと筒状スプールゴム２０の内周面との間に空気層ができて該内周面が浮いた状態となり、この外周面１５ｊとの間の摩擦が大幅に軽減される。このように、径方向孔１５ｇから空間ｓに空気を噴出させながら筒状スプールゴム２０を巻取スプール本体１５ａの下脱落防止段部１５ｉに向けてスライドさせることにより、この筒状スプールゴム２０を、外周面１５ｊに対して極めて容易に密着嵌合させることができる。このスライド時の筒状スプールゴム２０の嵌合位置の調整は、極めて容易に行なわれる。
【００１５】
上記筒状スプールゴム２０のスライド時、常に内周側に収縮しようとする該筒状スプールゴム２０が、その下端部を外周面１５ｊに密接させながら摺動し、かつ内周面を上脱落防止段部１５ｃに密接させながら摺動するため、空間ｓからの空気漏れが抑えられる。そして、筒状スプールゴム２０が上下の脱落防止端部１５ｃ、１５ｉの間に位置されるとき、空間ｓ内の空気が、縮径する筒状スプールゴム２０によって上下に押し出されるため、筒状スプールゴム２０が巻取スプール本体１５ａの外周面１５ｊに密着嵌合する。この場合、用いられる筒状スプールゴム２０によって異なる厚さや外周面１５ｊに対する締め代に対応させて空気の吹き込み量を調整すれば、多種の筒状スプールゴム２０の組み付けに対処することができる。
【００１６】
上記構成を有する本カメラは、次のように作動する。先ず、図示しない裏蓋を開放してパトローネ室１３にフィルムを装填し、リーダー部を引きながらフィルムをアパーチャ１２上に位置させ、さらにこのリーダー部を巻取スプール１５上に位置させる。この状態で裏蓋を閉じると、この巻取スプール１５が図示しない駆動モータからの回転をその巻取ギヤ１５ｂに受けて、フィルム巻取方向に回転する。そして、フィルムのリーダー部及びその近傍が巻取スプール１５に巻き付いた時点で、駆動モータが停止する。この巻取時、巻取スプール１５は巻取スプール本体１５ａに密着嵌合された筒状スプールゴム２０を有するため、フィルムのリーダー部は、滑ることなく速やかに巻取スプール１５に巻き付く。この後、シャッタ釦１９を押し込むことにより、所定の撮影を行なうことができる。
【００１７】
なお、本実施形態では、径方向孔１５ｇを一対設けたが、径方向孔１５ｇはこれに限らず、一つのみ或は三つ以上設けることも可能である。
【００１８】
本実施形態では、巻取スプール本体１５ａに対して上部挿入治具２１から空気を吹き込んだが、図３に示すように、この空気の吹き込みを下部挿入治具２２側から行なうこともできる。この図３の実施形態の場合、上部挿入治具２１側に空気吹込孔２１ａは無く、代わりに、軸方向孔１５ｄを上端部において密閉する平坦面２１ｂが形成され、この平坦面２１ｂに、ゴム材等の空気漏れ止め用パッキン２５が貼付されている。そして、下部挿入治具２２の凸部２２ａに、軸方向孔１５ｄに空気を吹き込む空気吹込孔２２ｂが設けられている。
【００１９】
また図３の実施形態において、軸方向孔１５ｄの、巻取スプール本体１５ａの長さ方向の一端側（上端側）を閉塞し、他端側（下端側）をそのまま開口させておき、空気の吹き込みを下部挿入治具２２側から行なうように構成することもできる（図４参照）。このようにすれば、上部挿入治具２１は、平坦面２１ｂによって回転軸部１５ｅの上部を押えるだけの構造を備えていれば良く、しかも空気漏れ止め用のパッキン２４も必要なくなるから、構成が極めて簡単になる。
【００２０】
【発明の効果】
以上のように本発明によれば、巻取スプール本体に筒状スプールゴムを容易に密着嵌合でき、フィルム巻取スプールアッセンブリの組立作業を簡単化できるフィルム巻取スプールアッセンブリの組立方法を提供することができ、この組立方法によるフィルム巻取スプールアッセンブリを提供することができる。
【図面の簡単な説明】
【図１】本発明を適用したフィルム巻取スプールアッセンブリを備えたカメラの裏蓋を外した状態を示す背面図である。
【図２】同フィルム巻取スプールアッセンブリを示す正面断面図である。
【図３】同フィルム巻取スプールアッセンブリの別の実施形態を示す正面断面図である。
【図４】同フィルム巻取スプールアッセンブリのさらに別の実施形態を示す正面断面図である。
【符号の説明】
１５  巻取スプール（フィルム巻取スプールアッセンブリ）
１５ａ  巻取スプール本体
１５ｂ  巻取ギヤ
１５ｃ  １５ｉ  脱落防止段部
１５ｄ  軸方向孔
１５ｅ  回転軸部
１５ｇ  径方向孔
２０  筒状スプールゴム
２１  上部挿入治具（空気噴出ノズル）
２１ａ  空気吹込孔
２２  下部挿入治具（空気噴出ノズル）
２２ｂ  空気吹込孔
【図１】
0003623837.tif 000002
【図２】
0003623837.tif 000003
【図３】
0003623837.tif 000004
【図４】
0003623837.tif 000005